(57)【要約】      （修正有）【課題】セカンダリセルを適時的に削除するための技術を提供する。【解決手段】基地局１００は、ユーザ装置と無線信号を通信する信号送受信部１１０，１２０と、無線信号を通信するため前記ユーザ装置に割り当てられるプライマリセルと１以上のセカンダリセルとを管理するセル管理部１３０と、ユーザ装置に割り当てられたセカンダリセルの状態を管理するためのタイマを管理するタイマ管理部１４０とを有し、セル管理部１３０がユーザ装置にセカンダリセルを割り当てると、タイマ管理部１４０は、割り当てられたセカンダリセルに対してタイマを起動し、セカンダリセルの無線リソースがユーザ装置にスケジューリングされると、タイマ管理部１４０は、タイマをリセットして再起動し、タイマが所定の閾値を超過すると、セル管理部１３０は、ユーザ装置からセカンダリセルを削除する。【選択図】図４
2014049933.tif 000002
【特許請求の範囲】
【請求項１】
ユーザ装置と無線信号を通信する信号送受信部と、
前記無線信号を通信するため前記ユーザ装置に割り当てられるプライマリセルと１以上のセカンダリセルとを管理するセル管理部と、
前記ユーザ装置に割り当てられたセカンダリセルの状態を管理するためのタイマを管理するタイマ管理部と、
を有する基地局であって、
前記セル管理部が前記ユーザ装置にセカンダリセルを割り当てると、前記タイマ管理部は、前記割り当てられたセカンダリセルに対して前記タイマを起動し、
前記セカンダリセルの無線リソースが前記ユーザ装置にスケジューリングされると、前記タイマ管理部は、前記タイマをリセットして再起動し、
前記タイマが所定の閾値を超過すると、前記セル管理部は、前記ユーザ装置から前記セカンダリセルを削除する基地局。
【請求項２】
当該基地局と通信接続するユーザ装置の間欠受信状態を管理する間欠受信状態管理部をさらに有し、
前記セル管理部が前記ユーザ装置から前記セカンダリセルを削除すると、前記間欠受信状態管理部は、前記セカンダリセルの削除の直前に前記ユーザ装置が間欠受信状態であったか確認し、前記ユーザ装置が間欠受信状態であった場合、前記セカンダリセルの削除後に前記ユーザ装置を間欠受信状態に遷移させる、請求項１記載の基地局。
【請求項３】
前記間欠受信状態管理部は、前記タイマ管理部から前記タイマが所定の閾値を超過したという通知を受信することに応答して、前記ユーザ装置が間欠受信状態であるか否かを確認する、請求項２記載の基地局。
【請求項４】
前記基地局は、キャリアアグリゲーションを用いて前記ユーザ装置と通信し、
前記プライマリセルは、前記ユーザ装置との通信接続を維持するためのセルであり、
前記セカンダリセルは、前記プライマリセルに追加して割り当てられるセルである、請求項１乃至３何れか一項記載の基地局。
【請求項５】
ユーザ装置と、
前記ユーザ装置と通信接続する基地局と、
を有する無線通信システムであって、
前記基地局は、
前記ユーザ装置と無線信号を通信する信号送受信部と、
前記無線信号を通信するため前記ユーザ装置に割り当てられるプライマリセルと１以上のセカンダリセルとを管理するセル管理部と、
前記ユーザ装置に割り当てられたセカンダリセルの状態を管理するためのタイマを管理するタイマ管理部と、
を有し、
前記セル管理部が前記ユーザ装置にセカンダリセルを割り当てると、前記タイマ管理部は、前記割り当てられたセカンダリセルに対して前記タイマを起動し、
前記セカンダリセルの無線リソースが前記ユーザ装置にスケジューリングされると、前記タイマ管理部は、前記タイマをリセットして再起動し、
前記タイマが所定の閾値を超過すると、前記セル管理部は、前記ユーザ装置から前記セカンダリセルを削除する無線通信システム。
【請求項６】
プライマリセルと１以上のセカンダリセルとを介しユーザ装置と通信接続する基地局における方法であって、
前記ユーザ装置にセカンダリセルを割り当てると、前記割り当てられたセカンダリセルに対してタイマを起動するステップと、
前記セカンダリセルの無線リソースが前記ユーザ装置にスケジューリングされると、前記タイマをリセットして再起動するステップと、
前記タイマが所定の閾値を超過すると、前記セカンダリセルを削除するステップと、
を有する方法。
【発明の詳細な説明】
【技術分野】
【０００１】
本発明は、無線通信技術に関し、より詳細には、キャリアアグリゲーションを利用した無線通信に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａ（Ｌｏｎｇ  Ｔｅｒｍ  Ｅｖｏｌｕｔｉｏｎ−Ａｄｖａｎｃｅｄ）の標準化を進めている。ＬＴＥ−Ａシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、これら複数のコンポーネントキャリアを同時に用いることによって、より広帯域な通信を実現することが図られている。
【０００３】
キャリアアグリゲーションでは、例えば、図１に示されるようなコンポーネントキャリアの配置が想定される。ケース１では、隣接する２０ＭＨｚの２つの帯域が、キャリアアグリゲーションによって４０ＭＨｚの帯域として利用可能になる。ケース１は、２０ＭＨｚより大きな連続する帯域を確保可能なケースなどに効果的に用いられ、ＬＴＥシステムとのバックワードコンパチビリティを確保しつつ、ＬＴＥシステムを上回るスループットを実現することができる。ケース２では、離間した１０ＭＨｚの２つの帯域が、キャリアアグリゲーションによって２０ＭＨｚの帯域として利用可能になる。ケース２は、事業者への周波数帯域の割当てが断片的である場合などに効果的に用いられ、ＬＴＥシステムとのバックワードコンパチビリティを確保しつつ、ＬＴＥシステムを上回るスループットを実現することができる。
【０００４】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：Ｐｃｅｌｌ）と、プライマリセルに接続中のユーザ装置に追加的に設定されるセカンダリセル（Ｓｅｃｏｎｄａｒｙ  Ｃｅｌｌ：Ｓｃｅｌｌ）とが設定される。例えば、図１に示される具体例において、２つのコンポーネントキャリアの一方がプライマリセルに設定され、他方がセカンダリセルに設定されてもよい。
【０００５】
プライマリセルは、ＬＴＥシステムと同様のセルであり、ユーザ装置とネットワークとの間の接続性を担保するためのセルである。すなわち、プライマリセルでは、ユーザ装置は、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＰＲＡＣＨ（Ｐｈｙｓｉｃａｌ  Ｒａｎｄｏｍ  Ａｃｃｅｓｓ  Ｃｈａｎｎｅｌ）を送信することが可能である。また、プライマリセルを変更する場合、ユーザ装置は、ハンドオーバを実行する必要がある。
【０００６】
他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。セカンダリセルでは、ユーザ装置は、ＰＵＣＣＨ及びＰＲＡＣＨを送信しない。また、セカンダリセルがユーザ装置に設定された直後は非アクティブ（ｄｅａｃｔｉｖａｔｅ）状態であり、ＭＡＣレイヤにおいてアクティブ化（ａｃｔｉｖａｔｉｏｎ）することで始めて通信可能又はスケジューリング可能となる。
【先行技術文献】
【非特許文献】
【０００７】
【非特許文献１】3GPP TS 36.300 V10.7.0 (2012-03)
【発明の概要】
【発明が解決しようとする課題】
【０００８】
現在検討されているキャリアアグリゲーションでは、ユーザ装置にセカンダリセルが追加されると、基地局から当該セカンダリセルを削除するＲＲＣシグナリングが通知されるまで、ユーザ装置は、割り当てられたセカンダリセルを保持し続ける。このため、ユーザ装置が割り当てられたセカンダリセルを使用しなくなった場合、ユーザ装置がセカンダリセルを保持し続けることは、無線リソースの効率的な利用やユーザ装置のバッテリセービングの観点から望ましくない。従って、一定期間使用されないセカンダリセルを削除するための仕組みが必要とされる。
【０００９】
また、ＬＴＥシステム及びＬＴＥ−Ａシステムでは、ユーザ装置のバッテリセービングを図るため、間欠受信（Ｄｉｓｃｏｎｔｉｎｕｏｕｓ  Ｒｅｃｅｐｔｉｏｎ：ＤＲＸ）制御が採用されている。ＤＲＸ制御では、ユーザ装置が基地局とＲＲＣコネクションを確立している（ＲＲＣ  ｃｏｎｎｅｃｔｅｄ状態）ときでも、例えば、送受信データ量の増減に応じて、ユーザ装置の送受信処理が省かれる。現在検討されているキャリアアグリゲーションでは、ＤＲＸ状態にあるユーザ装置に割り当てられているセカンダリセルが削除される場合、基地局からセカンダリセルを削除するＲＲＣシグナリングを受信すると、ユーザ装置は、非ＤＲＸ状態に戻ってセカンダリセル削除処理を実行し、当該処理の完了後も非ＤＲＸ状態を継続することになる。従って、ＤＲＸ状態にあるユーザ装置からセカンダリセルを削除する場合、ユーザ装置がセカンダリセル削除処理の完了後に迅速にＤＲＸ状態に遷移するための仕組みが必要とされる。
【００１０】
上記問題点に鑑み、本発明の一課題は、セカンダリセルを適時的に削除するための技術を提供することである。
【課題を解決するための手段】
【００１１】
上記課題を解決するため、本発明の一態様は、ユーザ装置と無線信号を通信する信号送受信部と、前記無線信号を通信するため前記ユーザ装置に割り当てられるプライマリセルと１以上のセカンダリセルとを管理するセル管理部と、前記ユーザ装置に割り当てられたセカンダリセルの状態を管理するためのタイマを管理するタイマ管理部とを有する基地局であって、前記セル管理部が前記ユーザ装置にセカンダリセルを割り当てると、前記タイマ管理部は、前記割り当てられたセカンダリセルに対して前記タイマを起動し、前記セカンダリセルの無線リソースが前記ユーザ装置にスケジューリングされると、前記タイマ管理部は、前記タイマをリセットして再起動し、前記タイマが所定の閾値を超過すると、前記セル管理部は、前記ユーザ装置から前記セカンダリセルを削除する基地局に関する。
【発明の効果】
【００１２】
本発明によると、セカンダリセルを適時的に削除することが可能になる。
【図面の簡単な説明】
【００１３】
【図１】図１は、キャリアアグリゲーションを概略的に示す図である。
【図２】図２は、本発明の一実施例によるＳｃｅｌｌ  Ｉｎａｃｔｉｖｅ  Ｔｉｍｅｒによる制御を概略的に示す図である。
【図３】図３は、本発明の一実施例による無線通信システムを概略的に示す図である。
【図４】図４は、本発明の一実施例による基地局の構成を示すブロック図である。
【図５】図５は、本発明の一実施例によるＳｃｅｌｌ  Ｉｎａｃｔｉｖｅ  Ｔｉｍｅｒの動作を示すフロー図である。
【図６】図６は、本発明の他の実施例によるＤＲＸ状態におけるＳｃｅｌｌ  Ｉｎａｃｔｉｖｅ  Ｔｉｍｅｒの動作を概略的に示す図である。
【図７】図７は、本発明の他の実施例による基地局の構成を示すブロック図である。
【図８】図８は、本発明の他の実施例によるＳｃｅｌｌ  Ｉｎａｃｔｉｖｅ  Ｔｉｍｅｒの動作を示すフロー図である。
【発明を実施するための形態】
【００１４】
以下、図面に基づいて本発明の実施の形態を説明する。
【００１５】
以下に開示される実施例では、キャリアアグリゲーションが利用可能な無線通信システムが説明される。キャリアアグリゲーションでは、基地局（ｅｖｏｌｖｅｄ  ＮｏｄｅＢ：ｅＮＢ）は、ユーザ装置（Ｕｓｅｒ  Ｅｑｕｉｐｍｅｎｔ：ＵＥ）との通信接続を維持するためのプライマリセルと、ユーザ装置によるプライマリセルへの接続後に必要に応じて追加されるセカンダリセルとを提供する。後述される実施例によると、ユーザ装置に割り当てられたセカンダリセルが利用されることなく保持され続けることを回避するため、基地局は、当該セカンダリセル（Ｓｃｅｌｌ）に対して管理するＳｃｅｌｌ  Ｉｎａｃｔｉｖｅ  Ｔｉｍｅｒを用いて、ユーザ装置に割り当てられたセカンダリセルの状態を管理する。このＳｃｅｌｌ  Ｉｎａｃｔｉｖｅ  Ｔｉｍｅｒを利用することによって、基地局は、ユーザ装置への割当て後に不要になったセカンダリセルを速やかに回収する。
【００１６】
より詳細には、図２に示されるように、基地局は、ユーザ装置にセカンダリセルを割り当てると、Ｓｃｅｌｌ  Ｉｎａｃｔｉｖｅ  Ｔｉｍｅｒを起動する。本起動タイミングは、当該セカンダリセルを追加するメッセージ送信タイミングでもよいし、当該セカンダリセルを追加するメッセージに対するコンプリート受信タイミングでもよいし、当該セカンダリセルを追加後初めての当該セカンダリセルをアクティブ化するタイミングでもよい。ユーザ装置に当該セカンダリセルに新規無線リソースを割り当てる毎に、基地局は、当該セカンダリセルが利用されていると判断し、Ｓｃｅｌｌ  Ｉｎａｃｔｉｖｅ  Ｔｉｍｅｒをリセットして再起動する。他方、Ｓｃｅｌｌ  Ｉｎａｃｔｉｖｅ  Ｔｉｍｅｒが所定の閾値を超過すると、基地局は、割り当てられたセカンダリセルが不要になったと判断し、ユーザ装置から当該セカンダリセルを削除する。また、所定の閾値を超えた場合、基地局は、Ｓｃｅｌｌ  Ｉｎａｃｔｉｖｅ  Ｔｉｍｅｒをリセットして再起動してもよい。
【００１７】
このようにして、Ｓｃｅｌｌ  Ｉｎａｃｔｉｖｅ  Ｔｉｍｅｒを利用することによって、不要になったセカンダリセルをユーザ装置から適時的に回収することが可能になり、不要になったセカンダリセルをユーザ装置が保持し続けることによって生じる無線リソースの非効率的な利用及びユーザ装置のバッテリの浪費を低減することが可能になる。
【００１８】
まず、図３を参照して、本発明の一実施例による無線通信システムを説明する。図３は、本発明の一実施例による無線通信システムを概略的に示す図である。
【００１９】
図３に示されるように、無線通信システム１０は、例えば、ＬＴＥ−Ａ（Ｌｏｎｇ  Ｔｅｒｍ  Ｅｖｏｌｕｔｉｏｎ  Ａｄｖａｎｃｅｄ）システムなど、キャリアアグリゲーションを利用した無線通信を実現する無線通信システムである。無線通信システム１０は、基地局（ｅＮＢ）１００と、１以上のユーザ装置（ＵＥ）２００とを有する。ユーザ装置２００は、典型的には、図示されるように、携帯電話やスマートフォンなどの無線通信機能を備えた何れか適切なユーザ装置であってもよい。
【００２０】
基地局１００は、ユーザ装置２００と無線接続することによって、通信接続された上位局やサーバ（図示せず）から受信したダウンリンク（ＤＬ）データをユーザ装置２００に送信すると共に、ユーザ装置２００から受信したアップリンク（ＵＬ）データを上位局（図示せず）に送信する。基地局１００は、典型的なハードウェア構成では、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、上位局、外部のサーバ、オペレータなどと各種データ及び／又は指示をやりとりするためのインタフェース装置などから構成される。後述される基地局１００の各機能は、通信装置及び／又はインタフェース装置を介し補助記憶装置に格納されているデータやプログラムをメモリ装置にロードし、ロードされたプログラムに従ってＣＰＵがデータを処理することによって実現される。
【００２１】
次に、図４を参照して、本発明の一実施例による基地局の構成を説明する。図４は、本発明の一実施例による基地局の構成を示すブロック図である。
【００２２】
図４に示されるように、基地局１００は、ＤＬ信号送信部１１０と、ＵＬ信号受信部１２０と、セル管理部１３０と、Ｓｃｅｌｌ  Ｉｎａｃｔｉｖｅ  Ｔｉｍｅｒ管理部１４０とを有する。
【００２３】
ＤＬ信号送信部１１０は、プライマリセル及び／又はセカンダリセルを介して、データ信号及び／又は制御信号から構成される無線信号をユーザ装置２００に送信する。例えば、ＤＬ信号送信部１１０は、ユーザ装置２００からの要求に応答してサーバから提供されたデータを無線信号に変換し、要求元のユーザ装置２００に送信する。また、ＤＬ信号送信部１１０は、ユーザ装置２００と無線通信するのに必要なスケジューリング情報や各種シグナリングなどの制御情報を無線信号に変換し、ユーザ装置２００に送信する。
【００２４】
ＵＬ信号受信部１２０は、プライマリセル及び／又はセカンダリセルを介して、データ信号及び／又は制御信号から構成される無線信号をユーザ装置２００から受信する。例えば、割り当てられたプライマリセル及び／又はセカンダリセルの無線リソースを利用してユーザ装置２００がデータ信号を送信すると、ＵＬ信号受信部１２０は、受信したデータ信号を送信先のサーバに転送する。また、割り当てられたプライマリセル及び／又はセカンダリセルの無線リソースを利用してユーザ装置２００が制御信号を送信すると、ＵＬ信号受信部１２０は、受信した制御信号を以降の通信に利用したり、及び／又は上位局に転送する。
【００２５】
セル管理部１３０は、基地局１００が提供可能なプライマリセルと１以上のセカンダリセルとを管理する。プライマリセル（Ｐｒｉｍａｒｙ  Ｃｅｌｌ：Ｐｃｅｌｌ）は、ユーザ装置２００との接続性を担保する信頼性の高いセルであり、プライマリセルを変更する場合にはユーザ装置２００はハンドオーバを実行する必要がある。セカンダリセル（Ｓｅｃｏｎｄａｒｙ  Ｃｅｌｌ：Ｓｃｅｌｌ）は、プライマリセルに追加されてユーザ装置２００に設定されるセルである。セカンダリセルの追加及び削除は、ＲＲＣのコンフィギュレーション（ｃｏｎｆｉｇｕｒａｔｉｏｎ）により行われる。セカンダリセルは、ＲＲＣのコンフィギュレーションによりユーザ装置２００に設定された直後は、非アクティブ状態である。従って、ユーザ装置２００に設定されたセカンダリセルは、ＭＡＣレイヤにおいてアクティブ化されることによって始めて通信可能、すなわち、スケジューリング可能な状態になる。
【００２６】
ユーザ装置２００が基地局１００に通信接続すると、セル管理部１３０は、プライマリセルによりユーザ装置２００と接続する。プライマリセルへの接続後に何らかの理由によってセカンダリセルを追加する必要が生じると、セル管理部１３０は、ユーザ装置２００にセカンダリセルを割り当てる。具体的には、セル管理部１３０は、ユーザ装置２００にセカンダリセルを割り当てることを決定すると、ユーザ装置２００にセカンダリセルを割り当てることを通知するＲＲＣシグナリングを送信するようＤＬ信号送信部１１０に指示する。
【００２７】
また、セカンダリセルの割当て後、後述されるように、Ｓｃｅｌｌ  Ｉｎａｃｔｉｖｅ  Ｔｉｍｅｒ管理部１４０からＳｃｅｌｌ  Ｉｎａｃｔｉｖｅ  Ｔｉｍｅｒが所定の閾値を超過したことが通知されると、セル管理部１３０は、ユーザ装置２００に割り当てたセカンダリセルを回収するため、セカンダリセルの割当てを解除するためのＲＲＣシグナリングを送信するようＤＬ信号送信部１１０に指示する。このＲＲＣシグナリングを受信すると、ユーザ装置２００は、セカンダリセル削除処理を開始する。このとき、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒをリセットして、再起動してもよい。
【００２８】
Ｓｃｅｌｌ  Ｉｎａｃｔｉｖｅ  Ｔｉｍｅｒ管理部１４０は、ユーザ装置２００に割り当てられたセカンダリセルを管理するためのＳｃｅｌｌ  Ｉｎａｃｔｉｖｅ  Ｔｉｍｅｒを管理する。Ｓｃｅｌｌ  Ｉｎａｃｔｉｖｅ  Ｔｉｍｅｒは、ユーザ装置２００に割り当てられたセカンダリセルに対して設定され、ユーザ装置２００にセカンダリセルの無線リソースが割り当てられていない期間、すなわち、ユーザ装置２００がセカンダリセルを利用していない期間を計時するのに利用される。Ｓｃｅｌｌ  Ｉｎａｃｔｉｖｅ  Ｔｉｍｅｒが所定の期間を超過すると、Ｓｃｅｌｌ  Ｉｎａｃｔｉｖｅ  Ｔｉｍｅｒ管理部１４０は、セル管理部１３０に当該セカンダリセルが利用されていないことを通知し、セル管理部１３０にセカンダリセルを回収させる。
【００２９】
具体的には、セル管理部１３０がユーザ装置２００にセカンダリセルを割り当てると、Ｓｃｅｌｌ  Ｉｎａｃｔｉｖｅ  Ｔｉｍｅｒ管理部１４０は、ユーザ装置２００に割り当てられたセカンダリセルに対してＳｃｅｌｌ  Ｉｎａｃｔｉｖｅ  Ｔｉｍｅｒを起動する。なお、ハンドオーバの前後でセカンダリセルが引き継がれる場合、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒの値を引き継ぎ、計時を継続する。
【００３０】
Ｓｃｅｌｌ  Ｉｎａｃｔｉｖｅ  Ｔｉｍｅｒの起動後、当該セカンダリセルの無線リソースがユーザ装置２００に割り当てられる毎に、Ｓｃｅｌｌ  Ｉｎａｃｔｉｖｅ  Ｔｉｍｅｒ管理部１４０は、当該セカンダリセルがユーザ装置２００に利用されていると判断し、Ｓｃｅｌｌ  Ｉｎａｃｔｉｖｅ  Ｔｉｍｅｒをリセットして再起動する。
【００３１】
Ｓｃｅｌｌ  Ｉｎａｃｔｉｖｅ  Ｔｉｍｅｒが所定の閾値を超過すると、Ｓｃｅｌｌ  Ｉｎａｃｔｉｖｅ  Ｔｉｍｅｒ管理部１４０は、当該セカンダリセルがユーザ装置２００に不要になったと判断し、セル管理部１３０に当該セカンダリセルが利用されていないことを通知する。当該通知を受信すると、セル管理部１３０は、ユーザ装置２００から当該セカンダリセルを削除する。このとき、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒをリセットして、再起動してもよい。
次に、図５を参照して、本発明の一実施例によるＳｃｅｌｌ  Ｉｎａｃｔｉｖｅ  Ｔｉｍｅｒの動作を説明する。図５は、本発明の一実施例によるＳｃｅｌｌ  Ｉｎａｃｔｉｖｅ  Ｔｉｍｅｒの動作を示すフロー図である。
【００３２】
図５に示されるように、セル管理部１３０がユーザ装置２００にセカンダリセルを割り当てたことに応答して、ステップＳ１０１において、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒを起動する。
【００３３】
ステップＳ１０２において、セル管理部１３０は、割り当てられたセカンダリセルの無線リソースがユーザ装置２００にスケジューリングされたか検知する。例えば、セル管理部１３０は、スケジューリング部（図示せず）などから当該セカンダリセルの無線リソースがユーザ装置２００に割り当てられたことを通知されると、割り当てられたセカンダリセルの無線リソースがユーザ装置２００にスケジューリングされたと判断することができる。
【００３４】
セル管理部１３０が当該セカンダリセルの無線リソースがユーザ装置２００に割り当てられたことを検知した場合（Ｓ１０２：Ｙ）、セル管理部１３０は、当該セカンダリセルの無線リソースがユーザ装置２００に割り当てられたことをＳｃｅｌｌ  Ｉｎａｃｔｉｖｅ  Ｔｉｍｅｒ管理部１４０に通知し、当該処理はステップＳ１０１に戻って、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒをリセットして再起動する。
【００３５】
他方、セル管理部１３０が当該セカンダリセルの無線リソースがユーザ装置２００に割り当てられたことを検知しない場合（Ｓ１０２：Ｎ）、Ｓｃｅｌｌ  Ｉｎａｃｔｉｖｅ  Ｔｉｍｅｒ管理部１４０は、ステップＳ１０１において起動したＳｃｅｌｌ  Ｉｎａｃｔｉｖｅ  Ｔｉｍｅｒの計時を継続し、当該処理はステップＳ１０３に移行する。すなわち、Ｓｃｅｌｌ  Ｉｎａｃｔｉｖｅ  Ｔｉｍｅｒ管理部１４０は、セル管理部１３０から当該セカンダリセルの無線リソースがユーザ装置２００に割り当てられたことを通知されるまで、Ｓｃｅｌｌ  Ｉｎａｃｔｉｖｅ  Ｔｉｍｅｒの計時を継続する。
【００３６】
ステップＳ１０３において、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒが所定の閾値を超過したか判断する。Ｓｃｅｌｌ  Ｉｎａｃｔｉｖｅ  Ｔｉｍｅｒが所定の閾値を超過したと判断した場合（Ｓ１０３：Ｙ）、Ｓｃｅｌｌ  Ｉｎａｃｔｉｖｅ  Ｔｉｍｅｒ管理部１４０は、ユーザ装置２００に割り当てられたセカンダリセルが利用されなくなったことをセル管理部１３０に通知する。このとき、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒをリセットして、再起動してもよい。
他方、Ｓｃｅｌｌ  Ｉｎａｃｔｉｖｅ  Ｔｉｍｅｒが所定の閾値以下である場合（Ｓ１０３：Ｎ）、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒの計時を継続し、当該処理はステップＳ１０２に戻る。
【００３７】
すなわち、Ｓｃｅｌｌ  Ｉｎａｃｔｉｖｅ  Ｔｉｍｅｒ管理部１４０は、セル管理部１３０から当該セカンダリセルの無線リソースがユーザ装置２００に割り当てられたことを通知されるまで、又はＳｃｅｌｌ  Ｉｎａｃｔｉｖｅ  Ｔｉｍｅｒが所定の閾値を超過するまで、Ｓｃｅｌｌ  Ｉｎａｃｔｉｖｅ  Ｔｉｍｅｒの計時を継続する。
【００３８】
ステップＳ１０４において、セル管理部１３０は、Ｓｃｅｌｌ  Ｉｎａｃｔｉｖｅ  Ｔｉｍｅｒ管理部１４０から当該セカンダリセルが利用されなくなったことを通知されると、ステップＳ１０４において、ユーザ装置２００から当該セカンダリセルを削除し、Ｓｃｅｌｌ  Ｉｎａｃｔｉｖｅ  Ｔｉｍｅｒは動作を終了する。
【００３９】
次に、図６を参照して、間欠受信（Ｄｉｓｃｏｎｔｉｎｕｏｕｓ  Ｒｅｃｅｐｔｉｏｎ：ＤＲＸ）制御が利用される実施例を説明する。本実施例では、無線通信システム１０が、ユーザ装置２００のバッテリセービングのため間欠受信制御を採用している場合のＳｃｅｌｌ  Ｉｎａｃｔｉｖｅ  Ｔｉｍｅｒの動作を説明する。
【００４０】
ＤＲＸ制御では、基地局１００は、ＲＲＣ  ｃｏｎｎｅｃｔｅｄ状態のユーザ装置２００など、基地局１００に接続中のユーザ装置２００をアクティブ（ａｃｔｉｖｅ）状態と非アクティブ（ｉｎａｃｔｉｖｅ）状態の２つの状態により管理する。ユーザ装置２００がアクティブ状態（ＤＲＸが無効とされる状態、すなわち、非ＤＲＸ状態）に設定されている間は、ユーザ装置２００は、ＰＤＣＣＨなどのダウンリンク制御チャネルをモニタし、基地局１００にフィードバック情報を報告する。このフィードバック情報として、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）、ＰＴＩ（Ｐｒｅｃｏｄｉｎｇ  Ｔｙｐｅ  Ｉｎｄｉｃａｔｏｒ）などがあげられる。他方、ユーザ装置２００が非アクティブ状態（ＤＲＸが有効とされる状態、すなわち、ＤＲＸ状態）に設定されているとき、ユーザ装置２００は、ＰＤＣＣＨなどのダウンリンク制御チャネルをモニタせず、フィードバック情報も報告しない。これにより、ユーザ装置２００のバッテリセービングを図ることができる。
【００４１】
例えば、ＬＴＥシステム又はＬＴＥ−Ａシステムでは、アクティブ状態は、１）Ｏｎ  ｄｕｒａｔｉｏｎ  Ｔｉｍｅｒ、ｄｒｘ−Ｉｎａｃｔｉｖｉｔｙ  Ｔｉｍｅｒ、ｄｒｘ−Ｒｅｔｒａｎｓｍｉｓｓｉｏｎ  Ｔｉｍｅｒ、ｍａｃ−ｃｏｎｔｅｎｓｉｔｉｏｎ  Ｒｅｓｏｌｕｔｉｏｎ  Ｔｉｍｅｒの何れかが起動している場合、２）ＵＥがスケジューリングリクエストを送信した場合、３）ＵＬ  ＨＡＲＱ再送のためのＵＬ  ＧｒａｎｔがＵＥに割り当てられる場合、４）ＵＥがＲａｎｄｏｍ  Ａｃｃｅｓｓ  Ｒｅｓｐｏｎｓｅを受信し、その後に新規送信を指示するＰＤＣＣＨを受信していない場合、の何れかのケースに該当するとき、ＵＥがアクティブ状態にあると定義される。他方、上記ケース以外の場合、ＵＥは非アクティブ状態にあると定義される。
【００４２】
ここで、Ｓｃｅｌｌ  Ｉｎａｃｔｉｖｅ  Ｔｉｍｅｒが所定の閾値を超過した際にユーザ装置２００が非アクティブ状態又はＤＲＸ状態に遷移している場合、基地局１００がセカンダリセルを削除するための信号をユーザ装置２００に送信することによって、ユーザ装置２００をアクティブ状態又は非ＤＲＸ状態に遷移させてしまうことになり、バッテリセービングの観点から望ましくない。このため、本実施例では、図６に示されるように、セカンダリセルの削除を決定した時点など、ユーザ装置２００がセカンダリセルの削除を基地局１００から通知される直前にユーザ装置２００が非アクティブ状態であった場合、基地局１００は、ユーザ装置２００からセカンダリセル削除処理が完了したという通知を受信すると、ユーザ装置２００にＤＲＸ  ＭＡＣ  ＣＥなどの制御信号を送信することによって、ユーザ装置２００を強制的に非アクティブ状態に戻す。これにより、セカンダリセル削除処理の実行中にのみユーザ装置２００をアクティブ状態に遷移させ、当該処理の完了後に速やかに非アクティブ状態に戻すことが可能となり、効果的なバッテリセービングが可能となる。
【００４３】
次に、図７を参照して、本発明の他の実施例による基地局の構成を説明する。図７は、本発明の他の実施例による基地局の構成を示すブロック図である。
【００４４】
図７に示されるように、基地局１００は、ＤＬ信号送信部１１０と、ＵＬ信号受信部１２０と、セル管理部１３０と、Ｓｃｅｌｌ  Ｉｎａｃｔｉｖｅ  Ｔｉｍｅｒ管理部１４０と、ＤＲＸ状態管理部１５０とを有する。ＤＬ信号送信部１１０、ＵＬ信号受信部１２０、セル管理部１３０及びＳｃｅｌｌ  Ｉｎａｃｔｉｖｅ  Ｔｉｍｅｒ管理部１４０は、図４に示されたものと同様であり、重複する説明は省略する。
【００４５】
ＤＲＸ状態管理部１５０は、基地局１００と通信接続（すなわち、ＲＲＣ  ｃｏｎｎｅｃｔｅｄ）するユーザ装置２００が間欠受信状態であるか否かを管理する。ＤＲＸ状態管理部１５０は、セル管理部１３０がユーザ装置２００に割り当てられているセカンダリセルを削除すると、当該セカンダリセルの削除の直前にユーザ装置２００が非アクティブ状態又はＤＲＸ状態であったか確認する。例えば、Ｓｃｅｌｌ  Ｉｎａｃｔｉｖｅ  Ｔｉｍｅｒ管理部１４０は、Ｓｃｅｌｌ  Ｉｎａｃｔｉｖｅ  Ｔｉｍｅｒが閾値を超えたと判定すると、セル管理部１４０に当該セカンダリセルを削除するよう指示すると共に、ＤＲＸ状態管理部１５０に当該セカンダリセルが削除されることを通知してもよい。この通知を受信することに応答して、ＤＲＸ状態管理部１４０は、ユーザ装置２００がアクティブ状態か非アクティブ状態かを確認するようにしてもよい。ユーザ装置２００が非アクティブ状態又はＤＲＸ状態であった場合、ＤＲＸ状態管理部１５０は、ＤＬ信号送信部１１０にユーザ装置をアクティブ状態又は非ＤＲＸ状態に移行させるためＤＲＸ状態移行信号をユーザ装置２００に送信するよう指示する。例えば、ＬＴＥシステム又はＬＴＥ−Ａシステムでは、ＤＲＸ状態管理部１５０は、セカンダリセルの削除手順が完了した時点でユーザ装置２００にＤＲＸ  ＭＡＣ  ＣＥ（Ｄｉｓｃｏｎｔｉｎｕｏｕｓ  Ｒｅｃｅｐｔｉｏｎ  Ｍｅｄｉｕｍ  Ａｃｃｅｓｓ  Ｃｏｎｔｒｏｌ  Ｃｏｎｔｒｏｌ  Ｅｌｅｍｅｎｔ）を送信することによって、ユーザ装置２００を強制的に非アクティブ状態又はＤＲＸ状態に遷移させる。これにより、セカンダリセルを削除するための信号の受信に応答して、ユーザ装置２００は、非アクティブ状態又はＤＲＸ状態からアクティブ状態又は非ＤＲＸ状態に遷移した後、迅速に非アクティブ状態又はＤＲＸ状態に戻ることが可能になる。
【００４６】
次に、図８を参照して、本発明の他の実施例によるＳｃｅｌｌ  Ｉｎａｃｔｉｖｅ  Ｔｉｍｅｒの動作を説明する。図８は、本発明の他の実施例によるＳｃｅｌｌ  Ｉｎａｃｔｉｖｅ  Ｔｉｍｅｒの動作を示すフロー図である。
【００４７】
図８に示されるように、ステップＳ２０１〜Ｓ２０４は、図５のステップＳ１０１〜Ｓ１０４と同一であるため、重複する説明は省略する。
【００４８】
セル管理部１３０がステップＳ２０４においてユーザ装置２００に割り当てられているセカンダリセルを削除することを決定し、ＤＬ信号送信部１１０を介しセカンダリセルを削除するための信号をユーザ装置２００に送信すると、ステップＳ２０５において、ＤＲＸ状態管理部１５０は、セル管理部１３０が当該セカンダリセルを削除することを決定した時点においてユーザ装置２００がＤＲＸ状態と非ＤＲＸ状態の何れであったか確認する。
【００４９】
ユーザ装置２００が非アクティブ状態又はＤＲＸ状態であった場合（Ｓ２０５：Ｙ）、ＤＲＸ状態管理部１５０は、セカンダリセル削除後にアクティブ状態又は非ＤＲＸ状態に遷移したユーザ装置２００を迅速に非アクティブ状態又はＤＲＸ状態に強制的に戻す。このため、ＤＲＸ状態管理部１５０は、ユーザ装置２００からセカンダリセル削除処理が完了したという通知を受信すると、ＤＬ信号送信部１１０にＤＲＸ  ＭＡＣ  ＣＥなどのＤＲＸ状態移行信号を送信するよう指示する。他方、ユーザ装置２００が非アクティブ状態又はＤＲＸ状態でなかった場合（Ｓ２０５：Ｎ）、ＤＲＸ状態管理部１５０は、ユーザ装置２００がアクティブ状態又は非ＤＲＸ状態を維持すべきと判断し、ＤＲＸ状態移行信号を送信することなく当該処理を終了する。
【００５０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５１】
１０  無線通信システム
１００  基地局
１１０  ＤＬ信号送信部
１２０  ＵＬ信号受信部
１３０  セル管理部
１４０  Ｓｃｅｌｌ  Ｉｎａｃｔｉｖｅ  Ｔｉｍｅｒ管理部
１５０  ＤＲＸ状態管理部
２００  ユーザ装置
【図１】
2014049933.tif 000003
【図２】
2014049933.tif 000004
【図３】
2014049933.tif 000005
【図４】
2014049933.tif 000006
【図５】
2014049933.tif 000007
【図６】
2014049933.tif 000008
【図７】
2014049933.tif 000009
【図８】
2014049933.tif 000010